(57)【要約】【課題】印鑑を捺印する捺印者が、捺印しようとする印鑑と捺印するべき印鑑とが一致しているかどうかの確認を、捺印前に容易に行うことができる。【解決手段】印影データを印影データベース２０または可搬型記憶媒体１７に登録しておき、捺印前に印鑑照合端末１を通じて捺印しようとする印鑑の印影データを通信制御部１６，２２を介して送受信するか、メモリカード１７から読み出すことで照会し、それを端末１の表示部１２上に表裏反転表示する。捺印者は印鑑の刻印内容と反転表示した印影データを目視により比較し、捺印するべき印鑑かどうか照合する。捺印前に確認することが可能なため、誤った捺印を防止できる。目視による直接的な照合を支援する装置１であるため、被照合印鑑を一度捺印し、その印影をシステムに取り込み照合する作業や、入力する画像入力装置が不要となる。【選択図】　　　　図１
2004102565.tif 000002
【特許請求の範囲】
【請求項１】
登録印影データを表示し、印鑑照合を支援する印鑑照合端末装置において、
通信回線を介して印影データベースから登録印影データを取得する通信手段と、
取得した登録印影データを反転する表裏反転手段と、
反転した登録印影データを表示して、被照合印鑑の刻印内容との目視による照合をするための表示手段とを具備したことを特徴とする印鑑照合端末装置。
【請求項２】
登録印影データを表示し、印鑑照合を支援する印鑑照合端末装置において、
可搬型記憶媒体に記録された登録印影データを取得する読み出し手段と、
取得した印影データを反転する表裏反転手段と、
反転した印影データを表示して、被照合印鑑の刻印内容との目視による照合をするための表示手段とを具備したことを特徴とする印鑑照合端末装置。
【請求項３】
登録印影データを表示し、印鑑照合を支援する印鑑照合端末の照合方法において、
出先の印鑑照合端末からＩＤおよびパスワードをサーバに送信して認証を受け、
口座番号を送信することにより、印影データベースから登録印影データを検索して、受信し、
受信した登録印影データを反転して、表裏反転印影を表示し、
実印鑑の刻印内容と画面上で比較照合し、
反転印影と刻印が一致したならば、サーバとの接続を切断し、不一致ならば、別の実印鑑の刻印内容と再度比較照合することを特徴とする印鑑照合端末の照合方法。
【発明の詳細な説明】
【０００１】
【発明の属する技術分野】
本発明は、印鑑照合端末装置に関し、特に、金融機関等の渉外業務において用いられる印鑑照合端末装置に関する。
【０００２】
【従来の技術】
従来、金融機関の渉外業務では、依頼書を営業店に持ち帰った後、印鑑票と依頼書の印鑑照合を行っている。しかしながら、依頼書を営業店へ持ち帰った後に印鑑照合を行うと、依頼書に捺印された印鑑が誤っていた際に再び渉外員が顧客のもとへ出向かねばならず、印鑑の訂正に多大な時間と手間を要し、効率の悪いものであった。
【０００３】
そのため、業務の効率化をはかり、顧客のもとで通帳の副印鑑と依頼書の印鑑の照合を行う場合もある。しかしながら、通帳の副印鑑は、偽造対策の観点から望ましいものではなく、廃止されようとしている。このため、金融機関の渉外員が顧客のもとへ登録印影情報を携行し、その場で印鑑照合を行う手段が必要とされている。
【０００４】
このような背景から、通帳の副印鑑を使わずに顧客のもとで印鑑照合を行う技術として、特開平５−４６７４０号公報に記載されている「印鑑登録・照合装置」（以下、方式Ａと呼ぶ）や、特開２００１−２９７３２８号公報および特開２００１−２９７１９７号公報に記載されている「印鑑照合端末装置および印鑑照合システム並びに印鑑照合プログラムを記憶した媒体」（以下、方式Ｂ，方式Ｃと呼ぶ）等が提案されている。
【０００５】
上記方式Ａの技術では、金融機関の外交員が携帯する印鑑登録・照合装置であって、外交員が出先で直接読み取った印鑑を可搬型記憶媒体（メモリカード）に格納して、そのメモリカードから読み出したデータを照合用表示装置に表示するようにしている。
また、上記方式Ｂの技術では、サーバから携帯型通信装置を介して暗号化した登録印影情報を印鑑照合端末に送信し、印鑑照合端末では、その受信した登録印影情報と画像入力装置から入力した顧客の被照合印影情報とを照合するようにしている。
【０００６】
また、上記方式Ｃの技術では、メモリカード等の可搬型媒体に登録印影情報を記録しておき、印鑑照合端末とともにメモリカードを携帯して出先に行き、画像入力装置から入力した顧客の被照合印影情報とメモリカードから入力した登録印影情報を印鑑照合演算部において比較照合するようにしている。
【０００７】
【発明が解決しようとする課題】
前述の方式Ａ，Ｂ，Ｃの各装置は、照合を行う際に被照合印鑑の印影データを装置内部に入力する必要がある。そのため、印影データの照合を行う機能を持つ装置の他に、必ず印影データを入力するための装置（画像入力装置）を携行する必要があり、可搬性を低下させてしまう、という問題がある。
【０００８】
また、照合機能が印影データ同士を照合する仕組みとなっているため、照合の際には、紙などに一旦捺印（以下、試行捺印とする）してから、その印影を入力するという手順が必須なため、照合を開始するまでに手間がかかる、という問題がある。
【０００９】
さらに、入力する印影データに照合結果が依存するため、入力用の印影データ取得の際に、満足のいく印影が得られるまで何度も試行捺印を行う必要がある、という問題がある。
【００１０】
そこで、この発明の目的は、上記のような従来の問題を解決し、印影データを装置内に入力すること無く印鑑照合を行うことができ、登録印影データと被照合印鑑の刻印内容の目視による照合を可能とし、これを支援する印鑑照合端末を提供することにある。
【００１１】
【課題を解決するための手段】
本発明の印鑑照合端末装置は、（イ）登録印影データを表示し、印鑑照合を支援する印鑑照合端末装置において、通信回線を介して印影データベースから登録印影データを取得する通信手段と、取得した印影データを反転する表裏反転手段と、反転した印影データを表示する表示手段とを具備することを特徴とする（第１の実施形態、請求項１に対応）。
【００１２】
なお、（イ）における通信手段、表裏反転手段、表示手段は、それぞれ図１（ａ）における携帯照合端末１の通信制御部１６、画像表裏反転部部１０、および表示部１２にそれぞれ相当する。上記通信制御部１６の通信機能としては、携帯電話（ＰＤＡを含む）を使用することも可能である。
【００１３】
また、（ロ）上記通信手段は、可搬型記憶媒体（メモリカードなど）に記録された登録印影データを取得する読み出し手段であることを特徴とする（第２の実施形態、請求項２に対応）。
なお、（ロ）におけるメモリカードは、図１（ｂ）に示すカード１７に相当し、読み出し手段はこのメモリカード１７に内蔵されている読み出し部である。
【００１４】
本発明においては、サーバ２から送信されてきた、あるいはメモリカード１７から取得した登録印影データより、表裏反転した印影データを作成し、印鑑照合端末の画面に表示するので、被照合印鑑を表示された反転印影と画面上で比較照合することができ、捺印しようとする印鑑の刻印内容との目視による照合を支援することができる。従って、顧客のもとで印鑑照合を行うことが簡単にでき、その際に、印影を用紙上に押印する必要がなく、実際に捺印する前で確認ができるので、依頼書に誤った捺印をすることもない。
【００１５】
【発明の実施の形態】
以下、本発明に係わる印鑑照合端末装置および印鑑照合方法の一例について図面を用いて説明する。なお、通信制御部を設けた第１の実施形態と、メモリカードを用いる第２の実施形態とがある。
【００１６】
（第１の実施形態）
図１は、本発明の第１の実施形態を示す印鑑照合システムの全体図である。
図１で示す印鑑照合システムは、渉外員の携行する印鑑照合端末１と、印影データベースを有するサーバ２と、サーバ２との間の通信回線から構成される。
なお、サーバ２の通信制御部２２と印鑑照合端末１の通信制御部１６との間の線は、有線または無線の回線のいずれでも可能である。また、印鑑照合端末１内の通信制御部１６は、これの代りに携帯型端末（携帯電話機、ＰＤＡ（Ｐｅｒｓｏｎａｌ　Ｄｉｇｉｔａｌ　Ａｓｓｉｓｔａｎｔｓ）など）で置き換えることも可能である。
【００１７】
印鑑照合端末１は、登録印影データを反転した印影データを作成する画像表裏反転部１０と、携帯型通信端末３を経由しての通信を制御する通信制御部１６と、通信制御部１６で受信した圧縮または暗号化された印影データを伸長または復号する伸長部１１と、反転した印影データを表示する表示部１２と、それを制御する表示制御部１３と、渉外員からの操作指示やデータを入力するキー入力部１４と、それを制御するキー入力制御部１５とから構成される。
【００１８】
サーバ２は、登録印鑑の印影データを格納する印影データベース２０と、印影データベース２０から指定された印影データを検索・取得する印影検索部２１と、印鑑照合端末１の通信制御部１６との間で通信を行うための通信制御部２２と、サーバ２およびサーバ２の提供するサービスへのアクセス管理・認証を行う認証部２３からなる。
【００１９】
通信制御部１６の代りに、携帯型端末を使用する場合には、ＰＨＳや携帯電話機やＰＤＡなどの公衆回線を利用するもの、無線ＬＡＮを利用するものなどが適用可能である。
【００２０】
図２は、本発明の第１の実施形態の印鑑照合システムを使用した渉外員の業務の流れを示すフローチャートである。
図２の左側が渉外員の処理、右側が渉外員が属する営業店の処理である。以下に、その詳細な処理を説明する。
【００２１】
まず、渉外員は客先を訪問し、顧客に被照合印鑑を用意してもらうよう依頼する（ステップ１００）。渉外員はＩＤとパスワードを印鑑照合端末１より入力し、サーバ２へ通信制御部１６または携帯型端末を経由して送信する（ステップ１０１）。サーバ３は、認証部２３によりＩＤとパスワードに基づき、認証を行う（ステップ１０２）。認証に成功すると、印影データベース２０への接続を許可する（ステップ１０３）。
【００２２】
次に、渉外員は照会を所望する口座番号を印鑑照合端末１より入力する（ステップ１０４）。入力した口座番号は通信制御部１６または携帯型端末を経由して、サーバ２へ送信される。サーバ２は、口座番号を受信すると、印影検索部２１により印影データベース２０から口座番号に該当する印影データを検索し、取得する（ステップ１０５）。取得した印影データは、通信制御部または携帯型端末を経由し印鑑照合端末１へ送信する（ステップ１０６）。
【００２３】
印鑑照合端末１は、受信した印影データから反転した印影データを画像表裏反転部１０により作成し、表示部１２に表示する（ステップ１０７）。渉外員は実印鑑の刻印内容と印鑑照合端末１に表示された表裏反転印影とを照合し（ステップ１０８）、一致するかどうか判定する（ステップ１０９）。なお、表裏反転印影とは、実際に捺印して見れる印影が反転されて表示されるもので、反転印影と被照合印影とを比較する場合、被照合印影との距離の中間部を境界にして反転印影が対称関係になるため、照合し易いという利点がある。
【００２４】
刻印内容と反転印影が一致したならば（ステップ１０９でＹＥＳ）、印影データベースより切断し（ステップ１１０およびステップ１１１）、依頼書に該当印鑑を捺印し、持ち帰る（ステップ１１２）。一致しなければ（ステップ１０９でＮＯ）、別の実印鑑の刻印内容との照合を再度行う。
【００２５】
（第２の実施形態）
図１（ｂ）は、本発明の第２の実施形態で使用されるメモリカードの説明図である。
上述の第１の実施形態では、登録印影データの取得方法として、通信回線を介した印影データベースからの取得という方法をとっている。しかし、登録印影データベースからの取得を可搬型記憶媒体（メモリカードなど）に記録された印影データから取得する方法に変更することにより、通信回線およびサーバ３を利用することのできない状況（例えば、災害時や地震の時や通信回線の輻輳時など）でも、印鑑照合端末１が運用可能である。
【００２６】
図１（ｂ）において、１７は本発明が適用されるメモリカードであって、ここでは土田という印影が記憶されているが、複数個の印影を記憶することができる。この印影の読み出し機能も内蔵されている。読み出し時に、捺印された印影を読み出して表示する場合には、印鑑照合端末４のキー入力部から１キーを入力し、表裏反転された印影を読み出して表示する場合には、２キーを入力し、拡大された印影を読み出して表示する場合には、３キーを入力すれば、カード１７から該当する印影が読み出される。なお、処理が終了した場合には、９キーを入力すればよい。また、メモリカード１７には、このカードや印影を取扱っている店舗の店番（例えば、００１）、科目（例えば、００）、この印影に相当する顧客の口座番号（例えば、１２３４５）が記憶されている。これらの番号をサーバ側に送信するには、印鑑照合端末４のキー入力部から該当キーを入力した後に送信ボタンを押せばよい。
【００２７】
図３は、本発明の第２の実施形態を示す印鑑照合端末の構成図である。
図３に示す印鑑照合端末４は、請求項２に記載の装置に対応し、コネクタ３１を通じて登録印影データを格納したメモリーカード５と接続する。
印鑑照合端末４は、登録印影データを反転した表裏印影データを作成する画像表裏反転部３０と、メモリーカード５を接続するコネクタ３１と、メモリーカード５を制御し、登録印影データを取得する入出力制御部３２と、表裏反転した印影データを表示する表示部３３と、それを制御する表示制御部３４と、渉外員からの操作指示やデータを入力するキー入力部３５と、それを制御するキー入力制御部３６とから構成される。
【００２８】
図４は、図３に示す印鑑照合端末４を使用した渉外員の業務の流れを示すフローチャートである。以下、その詳細について説明する。
まず、渉外員は客先を訪問し、顧客に被照合印鑑を用意してもらうよう依頼する（ステップ２００）。次に、渉外員は照会を所望する口座番号を印鑑照合端末４より入力する（ステップ２０１）。口座番号を入力すると、口座番号に関連付けられた登録印影データを、コネクタ３１および入出力制御部３２を経由してメモリーカード５より検索し、これを取得する（ステップ２０２）。
【００２９】
印鑑照合端末４は、取得した印影データから反転した印影データを画像表裏反転部３０により作成し、表示部３３に表示する（ステップ２０３）。渉外員は実印鑑の刻印内容と印鑑照合端末４に表示された反転印影を画面上だけで照合し（ステップ２０４）、一致するかどうか判定する（ステップ２０５）。
刻印内容と反転印影が一致したならば（ステップ２０５でＹＥＳ）、依頼書に捺印し、持ち帰る。また、一致しなければ（ステップ２０５でＮＯ）、別の実印鑑の刻印内容との照合を再度行う。
【００３０】
このように、本発明では、印鑑を捺印する捺印者が、捺印しようとする印鑑と捺印するべき印鑑と一致しているか否かの確認を、捺印前に容易に行うことができる。つまり、実際に捺印する前に、表裏反転された印影が表示された画面上で照合することができるので、捺印前に一致不一致を確認することができる。従って、何回も用紙に実印を捺印することなく、確認後に一回の捺印だけで契約書が完成される。従来の印鑑照合システムとの相違点は、目視による直接的な照合を支援する装置を提供できることであり、被照合印鑑を一度捺印して、その印影をシステムに取り込み照合するという作業が不要となるため、取り込むための装置も不要となる。
【００３１】
【発明の効果】
以上説明したように、本発明によれば、印影データベースもしくは可搬型記憶媒体より検索して取得した登録印影データより反転した印影データを作成し、印鑑照合端末に表示することにより、捺印しようとする印鑑の刻印内容との目視による照合を支援することができる。その結果、顧客のもとで印鑑照合を行うことが可能であり、捺印前での確認ができるので、依頼書に誤った捺印をすることもなく、依頼書を無駄にすることが無い。
【００３２】
また、従来の印鑑照合システムと比較し、直接目視による照合を行うため、印影データをシステムに取り込む作業が不要であり、従って取り込むための装置も不要となり、可搬性の優れた端末とすることができる。
【図面の簡単な説明】
【図１】本発明の第１の実施形態を示す印鑑照合システムの構成図である。
【図２】本発明の第１の実施形態を示す印鑑照合システムを使用した渉外員の業務の流れを示すフローチャートである。
【図３】本発明の第２の実施形態を示す印鑑照合端末の構成図である。
【図４】本発明の第２の実施形態を示す印鑑照合端末を使用した渉外員の業務の流れを示すフローチャートである。
【符号の説明】
１　印鑑照合端末
２　サーバ
４　印鑑照合端末
５　メモリーカード
１０　画像表裏反転部（中央処理制御部）
１１　伸長部
１６　通信制御部
１２　表示部
１３　表示制御部
１４　キー入力部
１５　キー入力制御部
１７　メモリカード
２０　印影データベース
２１　印影検索部
２２　通信制御部
２３　認証部
３０　画像表裏反転部（中央処理制御部）
３１　コネクタ
３２　入出力制御部
３３　表示部
３４　表示制御部
３５　キー入力部
３６　キー入力制御部
【図１】
2004102565.tif 000003
【図２】
2004102565.tif 000004
【図３】
2004102565.tif 000005
【図４】
2004102565.tif 000006